(57)【要約】      （修正有）【課題】サンプルとして必要な一部の吸着材を取り出すことができ、かつ取り付け時の漏洩試験のための作業を簡素化できる放射性ガス除去フィルタを提供する。【解決手段】内外にガスを通過させるケーシング３Ａの内部にガスに含まれる放射性物質を吸着する吸着材３Ｂが収容される放射性ガス除去フィルタ３０において、吸着材３Ｂを収容するケーシング３Ａの内部を主の吸着材３Ｂａを収容する主収容部とサンプル用の吸着材３Ｂｂを収容するサンプル収容部とに区切る隔壁３０Ａと、サンプル収容部をケーシング３Ａの内外に開放する開放口３０Ｂと、開放口３０Ｂを開閉する蓋部３０Ｃと、を備える。【選択図】図５
2017003418.tif 000002
【特許請求の範囲】
【請求項１】
内外にガスを通過させるケーシングの内部に前記ガスに含まれる放射性物質を吸着する吸着材が収容される放射性ガス除去フィルタにおいて、
前記吸着材を収容する前記ケーシングの内部を主の前記吸着材を収容する主収容部とサンプル用の前記吸着材を収容するサンプル収容部とに区切る隔壁と、
前記サンプル収容部を前記ケーシングの内外に開放する開放口と、
前記開放口を開閉する蓋部と、
を備えることを特徴とする放射性ガス除去フィルタ。
【請求項２】
前記隔壁は、通気性を有することを特徴とする請求項１に記載の放射性ガス除去フィルタ。
【請求項３】
前記隔壁は、前記サンプル収容部を複数に区切り、前記開放口および前記蓋部は、それぞれの前記サンプル収容部に対応して設けられていることを特徴とする請求項１または２に記載の放射性ガス除去フィルタ。
【請求項４】
複数の各前記蓋部は、それぞれ異なる指標が設けられることを特徴とする請求項３に記載の放射性ガス除去フィルタ。
【請求項５】
ガスが流通する流通路と、
請求項１〜４のいずれか１つに記載の放射性ガス除去フィルタと、
前記放射性ガス除去フィルタに対して隔壁、開放口および蓋部を備えず他が同構成の別放射性ガス除去フィルタと、
前記放射性ガス除去フィルタおよび前記別放射性ガス除去フィルタを前記流通路内に配置するラックと、
を備えることを特徴とする放射性ガス除去装置。
【請求項６】
前記ラックは、前記放射性ガス除去フィルタを配置した部位に対して指標が設けられることを特徴とする請求項５に記載の放射性ガス除去装置。
【発明の詳細な説明】
【技術分野】
【０００１】
本発明は、放射性ガスを除去する放射性ガス除去フィルタおよび放射性ガス除去装置に関する。
【背景技術】
【０００２】
原子力発電所などの原子力施設においては、周辺環境を保全する観点から放射性ガス、特に単体よう素（１２９Ｉ２、１３１Ｉ２、１３３Ｉ２）やよう化メチル（ＣＨ３１２９Ｉ、ＣＨ３１３１Ｉ、ＣＨ３１３３Ｉ）を主成分とする有機よう素化合物からなる放射性よう素の放出量の低減を図ることが重要な課題となっている。そして、原子力施設から事故時などに放射性物質が放出されることを防止するため、原子力施設の換気空調設備には、放射性よう素を吸着するよう素吸着材を含むよう素フィルタを設け、ガス中に含まれる放射性よう素を除去するようにしている。
【０００３】
従来、例えば、特許文献１に記載の放射性よう素の除去装置において、よう素フィルタは、チャンバ内に設けられる。よう素フィルタは、一対のフィルタ本体を有している。フィルタ本体は、ガス中に含まれる放射性よう素を吸着する放射性よう素吸着材が収容され、ガスを通過させるために上下両面に複数の孔が設けられている。一対のフィルタ本体は、上下に間隔をおいて配置されて一側の間隔が開放されたガス導入孔となり、他側の間隔が後板で塞がれて連結されている。また、よう素フィルタは、チャンバ内に、例えばボルトにより締結して固定される。このよう素フィルタは、ガス導入孔からフィルタ本体の間に入ったガスが、各フィルタ本体における上下両面の複数の孔を介して内部を上下に通過して放射性よう素吸着材に接触しつつ外部に抜けていくことで、ガスに含まれる放射性よう素を放射性よう素吸着材に吸着させる。また、よう素フィルタは、フィルタ本体内の放射性よう素吸着材が交換できるように構成されている。
【０００４】
従来、例えば、特許文献２に記載のトレイ型吸着フィルタは、気流の流入、流出を許容する多孔壁で区画形成されたケーシング内に吸着剤を充填された吸着層を備えるトレイ型吸着フィルタであって、吸着層の所望箇所に該吸着層の厚み方向の全断面に亘る貫通孔を設けると共に、気流の流入、流出を許容する多孔壁を有するホルダー本体内に吸着剤を充填し該ホルダー本体の外周にＯリングを取り付け貫通孔に気密に装着自在としたサンプルホルダーを備える。
【先行技術文献】
【特許文献】
【０００５】
【特許文献１】特開２０１２−００２６０６号公報
【特許文献２】実用新案登録第２５７３０２７号公報
【発明の概要】
【発明が解決しようとする課題】
【０００６】
特許文献１に示すようなフィルタは、空気中の水分や油分や溶剤成分や酸性ガスなども吸着すると吸着対象の物質の吸着性能が低下する。このため、一定期間ごとによう素フィルタを抜き出して、そこから吸着材をサンプルとして取り出して吸着性能が所定の性能以下となっていないことを確認する。サンプルとして必要な吸着材は、例えば１００ｃｃ程度であるが、１つのフィルタ本体に収容されている吸着材を全て取り出してしまうため、取り出した吸着材は使用されず、新たな吸着材がフィルタ本体に充填される。また、この際、フィルタ本体を含むよう素フィルタは、新たな吸着材をフィルタ本体に充填した場合、損傷が確認され、損傷のある場合には新しいものと交換される。また、よう素フィルタを抜き出した後に元に戻す場合は、チャンバ内のよう素フィルタの取付部などにおいて通常のガスを通過させる部分以外でのガスの漏洩がないことを試験する。従って、吸着材の吸着性能を確認するにあたって、サンプルに利用したフィルタ本体に収容されている吸着材を全て交換しており、かつ全ての吸着材を新たに充填する際にフィルタ本体の損傷が生じやすく、損傷を直さなければならないことから、交換や装着時の漏洩試験のための作業に手間がかかりコストが嵩む問題がある。しかも、放射性ガス除去フィルタの場合は、取り出した吸着材あるいは、およびフィルタ本体は廃棄物になるため、フィルタ本体に収容されている吸着材を全て交換すると廃棄物が増加してしまう。
【０００７】
一方、特許文献２に示すようなフィルタは、サンプルホルダーを備えており、このサンプルホルダーを抜き出すことで、一部の吸着材のみを取り出すことになるため、新たに交換する吸着材は減少することになる。しかし、このフィルタであっても、サンプルホルダー自体は、全ての吸着材を交換することになり、この際の損傷が懸念されるため、損傷を直さなければならないことから、同様に、取り付け時の漏洩試験のための作業に手間がかかる問題がある。
【０００８】
本発明は上述した課題を解決するものであり、サンプルとして必要な一部の吸着材を取り出すことができ、かつ取り付け時の漏洩試験のための作業を簡素化することのできる放射性ガス除去フィルタおよび放射性ガス除去装置を提供することを目的とする。
【課題を解決するための手段】
【０００９】
上述の目的を達成するために、本発明の放射性ガス除去フィルタは、内外にガスを通過させるケーシングの内部に前記ガスに含まれる放射性物質を吸着する吸着材が収容される放射性ガス除去フィルタにおいて、前記吸着材を収容する前記ケーシングの内部を主の前記吸着材を収容する主収容部とサンプル用の前記吸着材を収容するサンプル収容部とに区切る隔壁と、前記サンプル収容部を前記ケーシングの内外に開放する開放口と、前記開放口を開閉する蓋部と、を備えることを特徴とする。
【００１０】
この放射性ガス除去フィルタによれば、サンプルとして必要な一部の吸着材を取り出すことができる。しかも、この放射性ガス除去フィルタによれば、サンプル収容部から吸着材を取り出したり、取り出した後に新たな吸着材をサンプル収容部に充填したりする場合、蓋部を開けて開放口を開放するだけの簡単な形態変化であるため、ケーシングの損傷は生じにくく、損傷を直す作業を殆どなくすことができる。この結果、取り付け時の漏洩試験のための作業を簡素化することができる。
【００１１】
また、本発明の放射性ガス除去フィルタでは、前記隔壁は、通気性を有することを特徴とする。
【００１２】
この放射性ガス除去フィルタによれば、隔壁が通気性を有することで、ケーシングの内部におけるガスの通過を阻害することがない。この結果、主収容部とサンプル収容部は同じ使用条件下に置かれることとなり、吸着材の吸着性能を低下させることなくサンプル用の吸着材を出し入れ可能に区切って収容することができる。
【００１３】
また、本発明の放射性ガス除去フィルタでは、前記隔壁は、前記サンプル収容部を複数に区切り、前記開放口および前記蓋部は、それぞれの前記サンプル収容部に対応して設けられていることを特徴とする。
【００１４】
この放射性ガス除去フィルタによれば、サンプル収容部を複数に区切り、それぞれに対応して開放口および蓋部を設けることで、１つの放射性ガス除去フィルタにおいてサンプル用の吸着材を複数サンプリングすることができる。この結果、サンプル用の吸着材を収容した放射性ガス除去フィルタを設置した同設置位置で複数回のサンプリングを実施することができる。
【００１５】
また、本発明の放射性ガス除去フィルタでは、複数の各前記蓋部は、それぞれ異なる指標が設けられることを特徴とする。
【００１６】
この放射性ガス除去フィルタによれば、複数の各蓋部にそれぞれ異なる指標を設けることで、吸着材のサンプリングを行ったか否か、サンプリングの年月日、サンプリングの実施予定年などを記すことができる。
【００１７】
また、本発明の放射性ガス除去装置は、ガスが流通する流通路と、上述したいずれか１つの放射性ガス除去フィルタと、前記放射性ガス除去フィルタに対して隔壁、開放口および蓋部を備えず他が同構成の別放射性ガス除去フィルタと、前記放射性ガス除去フィルタおよび前記別放射性ガス除去フィルタを前記流通路内に配置するラックと、を備えることを特徴とする。
【００１８】
この放射性ガス除去装置によれば、サンプルとして必要な一部の吸着材を取り出すことができる。しかも、この放射性ガス除去装置によれば、サンプル収容部から吸着材を取り出したり、取り出した後に新たな吸着材をサンプル収容部に充填したりする場合、蓋部を開けて開放口を開放するだけの簡単な形態変化であるため、ケーシングの損傷は生じにくく、損傷を直す作業を殆どなくすことができる。この結果、取り付け時の漏洩試験のための作業を簡素化することができる。
【００１９】
また、本発明の放射性ガス除去装置では、前記ラックは、前記放射性ガス除去フィルタを配置した部位に対して指標が設けられることを特徴とする。
【００２０】
この放射性ガス除去装置によれば、指標により、放射性ガス除去フィルタを配置する専用の場所として特定することができる。例えば、全ての放射性ガス除去フィルタの吸着材が使用期限となって、全ての放射性ガス除去フィルタの吸着材を交換する場合、元と同じ場所に放射性ガス除去フィルタを配置するというような運用を行うことができる。
【発明の効果】
【００２１】
本発明によれば、サンプルとして必要な一部の吸着材を取り出すことができ、かつ取り付け時の漏洩試験のための作業を簡素化することができる。
【図面の簡単な説明】
【００２２】
【図１】図１は、本発明の実施形態に係る放射性ガス除去装置の縦断面図である。
【図２】図２は、本発明の実施形態に係る放射性ガス除去装置の斜視図である。
【図３】図３は、放射性ガス除去フィルタの横断面図である。
【図４】図４は、放射性ガス除去フィルタの縦断面図である。
【図５】図５は、本発明の実施形態に係る放射性ガス除去フィルタの横断面図である。
【図６】図６は、本発明の実施形態に係る放射性ガス除去フィルタの縦断面図である。
【図７】図７は、本発明の実施形態に係る放射性ガス除去フィルタの背面図である。
【発明を実施するための形態】
【００２３】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００２４】
図１は、本実施形態に係る放射性ガス除去装置の縦断面図である。図２は、本実施形態に係る放射性ガス除去装置の斜視図である。図３は、放射性ガス除去フィルタの横断面図である。図４は、放射性ガス除去フィルタの縦断面図である。
【００２５】
本実施形態の放射性ガス除去装置１は、例えば、原子力発電所などの原子力施設において、放射性ガス、特に単体よう素（１２９Ｉ２、１３１Ｉ２、１３３Ｉ２）やよう化メチル（ＣＨ３１２９Ｉ、ＣＨ３１３１Ｉ、ＣＨ３１３３Ｉ）を主成分とする有機よう素化合物からなる放射性よう素を含むガスを除去するためのものである。
【００２６】
この放射性ガス除去装置１は、流通路２と、放射性ガス除去フィルタ３と、ラック４と、を備える。
【００２７】
流通路２は、図１に示すように、一端２ａおよび他端２ｂが開放されて筒状に形成されており、一端２ａと他端２ｂとの間であって筒状の内部にガスが流通される。本実施形態において、流通路２は、四角筒状に形成されているが、筒状の断面形状に限定はない。流通路２は、送風機（図示せず）が配置されたガスの流通経路中に設けられる。流通経路は、例えば、上述した原子力施設において放射性ガスの存在が想定し得る空間と、放射性ガスを除去したガスを供給する空間との間を接続するものである。なお、流通路２は、その内部に送風機が設けられてもよい。
【００２８】
放射性ガス除去フィルタ３は、ケーシング３Ａと、吸着材３Ｂと、を備える。ケーシング３Ａは、その内外にガスを通過させる。具体的に、ケーシング３Ａは、図３および図４に示すように、矩形状の箱体として形成されている。ケーシング３Ａは、剛性の高い金属材からなり、矩形状の４辺の側面が側面板３Ａａにより気密に閉塞され、一部である上下面がパンチングメタルなどのような多孔板からなる上下面板３Ａｂにより通気性を有している。すなわち、ケーシング３Ａは、上下面板３Ａｂを介してその内外にガスを通過させる。
【００２９】
本実施形態において、放射性ガス除去フィルタ３は、ケーシング３Ａが上下に間隔をおいて複数（本実施形態では２つ）設けられている。そして、放射性ガス除去フィルタ３は、各ケーシング３Ａの上下の間において、矩形状の３辺の側面板３Ａａ間の間隔が閉塞板３Ａｃにより気密に閉塞されて残りの１辺の側面板３Ａａ間の間隔のみが開放するように開口部３Ａｄが形成されている。閉塞板３Ａｃは、上下に配置されたケーシング３Ａの相互の側面板３Ａａが連続して構成されている。従って、上下に間隔をおいて複数設けられるケーシング３Ａは、相互の側面板３Ａａが連続することで相互の間隔を維持しつつ一体に構成されている。また、開口部３Ａｄは、上下に配置されたケーシング３Ａの相互の側面板３Ａａが連続した部分に開けられた穴として構成されている。
【００３０】
また、本実施形態において、放射性ガス除去フィルタ３は、穴として開口部３Ａｄが形成された側面板３Ａａが、両側方および上下方向にはみ出すように張り出して形成されている。この張り出して形成された側面板３Ａａは、その周縁に開口部３Ａｄの開口方向の外側に延在する縁片３Ａｅが形成されている。また、この張り出して形成された側面板３Ａａは、開口部３Ａｄの開口方向の外側に突出する２つの把持部３Ａｆが形成されている。すなわち、把持部３Ａｆを両手で掴んで放射性ガス除去フィルタ３を持つことができる。なお、上述した放射性ガス除去フィルタ３において、説明の便宜上、両側方および上下方向に張り出して開口部３Ａｄや縁片３Ａｅや把持部３Ａｆが形成された側面板３Ａａ側を正面側とし、その相反する側面板３Ａａ側を背面側とし、正面側と背面側との間の側面板３Ａａ側を側面側とする。
【００３１】
吸着材３Ｂは、上述したケーシング３Ａの内部に収容される。吸着材３Ｂは、流通路２内を流通されるガス中に含まれるよう素および放射性よう化メチルを吸着する。具体的に、吸着材３Ｂは、母体を構成する基材と、この基材に添着される添着物質とを含む。基材に用いられる材料としては、特に限定されるものではなく、表面に複数の細孔を有するものであればよく、例えば、活性炭、アルミナ、ゼオライト、シリカゲル、活性白土などが挙げられる。ゼオライトとしては、天然ゼオライトまたは合成ゼオライトのどちらでもよい。また、ゼオライトとして、モルデナイト系ゼオライトなどが挙げられる。基材は、それぞれ単独でまたは２種以上を組み合わせて使用することができる。また、吸着材３Ｂは、添着物質として、トリエチレンジアミン（ＴＥＤＡ：Tri−Ethylene−Di−Amine）またはよう化カリウム（ＫＩ）を含む。この吸着材３Ｂは、上記構成により、放射性よう素および放射性よう化メチルを吸着する。この吸着材３Ｂは、基材がケーシング３Ａにおいて通気性を有する上下面板３Ａｂから脱落しないように保持される粒径と孔との関係に形成されている。
【００３２】
ラック４は、図１および図２に示すように、上述した放射性ガス除去フィルタ３を流通路２内に配置する。ラック４は、流通路２の内部を一端２ａ側と他端２ｂ側とに区画する正面板４Ａと、正面板４Ａの周縁に設けられて流通路２の内周面に沿う周板４Ｂとを有し、正面板４Ａに対して相反する側の背面が開放する箱体として構成されている。本実施形態において、流通路２は、四角筒状に形成されているため、これに合わせてラック４は、正面板４Ａが四角形状に形成され、周板４Ｂも四角形状に形成されている。ラック４は、正面板４Ａに、上述した放射性ガス除去フィルタ３が挿通される挿通穴４Ｃが形成されている。本実施形態において、ラック４は、複数（本実施形態では３つ）の放射性ガス除去フィルタ３を挿通できるように３つの挿通穴４Ｃが形成されている。また、ラック４は、箱体の内部において、挿通穴４Ｃに挿通された放射性ガス除去フィルタ３の挿通を案内すると共に支持する支持部材４Ｄが、放射性ガス除去フィルタ３の挿通方向となる正面背面方向に沿って設けられている。このようなラック４は、周板４Ｂと流通路２の内周面との間が気密性を有するようにガスケット（図示せず）を介して流通路２の内部に配置されている。このため、ラック４は、正面板４Ａに形成された挿通穴４Ｃのみを介して流通路２を一端２ａ側と他端２ｂ側に通じさせている。
【００３３】
本実施形態の放射性ガス除去フィルタ３は、上述したラック４の挿通穴４Ｃに対して背面側から挿通される。そして、放射性ガス除去フィルタ３は、正面側の側面板３Ａａにおいて両側方および上下方向に張り出した部分がラック４の正面板４Ａに当接することでラック４の内部に収納される。そして、放射性ガス除去フィルタ３は、正面側の側面板３Ａａがラック４の正面板４Ａに対してボルトで締結されることでラック４に支持される。また、放射性ガス除去フィルタ３の正面側の側面板３Ａａと、ラック４の正面板４Ａとの当接部分にガスケット（図示せず）が介在されている。このため、放射性ガス除去フィルタ３は、図１に示すように、流通路２に対し、一端２ａと他端２ｂとの間で、開口部３Ａｄ、ケーシング３Ａの上下面板３Ａｂ、およびケーシング３Ａに収容される吸着材３Ｂを介してガスを流通させる。なお、放射性ガス除去フィルタ３におけるガスの流通方向は、図１に示すように、ガスが流通路２の一端２ａから供給されて他端２ｂから排出される場合、正面側の開口部３Ａｄから供給されて吸着材３Ｂを通過して上下に抜けて背面に排出される。また、図には明示しないが、放射性ガス除去フィルタ３におけるガスの流通方向は、ガスが流通路２の他端２ｂから供給されて一端２ａから排出される場合、図１とは逆に背面側から上下方向に吸着材３Ｂを通過して正面側の開口部３Ａｄから排出される。
【００３４】
このように、本実施形態の放射性ガス除去装置１は、流通路２に流通されたよう素および放射性よう化メチルなどを含有する放射性ガスを除去する。
【００３５】
以下、本実施形態の放射性ガス除去フィルタについて説明する。図５は、本実施形態に係る放射性ガス除去フィルタの横断面図である。図６は、本実施形態に係る放射性ガス除去フィルタの縦断面図である。図７は、本実施形態に係る放射性ガス除去フィルタの背面図である。
【００３６】
なお、本実施形態の放射性ガス除去フィルタ３０は、上述した放射性ガス除去フィルタ３に対して基本的構成は同様である。従って、上述した放射性ガス除去フィルタ３と同等部分には同一の符号を付して説明を省略し、異なる部分のみ異なる符号を付して説明する。また、本発明における「放射性ガス除去フィルタ」は、この図５〜図７に示す放射性ガス除去フィルタ３０をいう、従って、上述した放射性ガス除去フィルタ３と差別化するため、放射性ガス除去フィルタ３を「別放射性ガス除去フィルタ」という。なお、図５において、Ｘ−Ｘ線は、異ならせた断面位置を示し、開口部３Ａｄを有しているＸ−Ｘ線から正面側は、上下に配置された各ケーシング３Ａ間を横方向に切断し、開口部３Ａｄに相反しているＸ−Ｘ線から背面側は、ケーシング３Ａを横方向に切断した状態を示している。
【００３７】
本実施形態の放射性ガス除去フィルタ３０は、図５および図６に示すように、別放射性ガス除去フィルタ３に対し、隔壁３０Ａと、開放口３０Ｂと、蓋部３０Ｃと、をさらに備える。
【００３８】
隔壁３０Ａは、吸着材３Ｂを収容するケーシング３Ａの内部を区切るものである。隔壁３０Ａは、ケーシング３Ａの内部を正面背面方向に区切る前後隔壁３０Ａａと、ケーシング３Ａの内部を側方に区切る側方隔壁３０Ａｂとを有する。
【００３９】
前後隔壁３０Ａａにより正面背面方向に区切られたケーシング３Ａの内部は、開口部３Ａｄを有する正面側と、開口部３Ａｄに相反する背面側とに分けられる。そして、この前後隔壁３０Ａａにより区切られて容積が大きい側を主の吸着材３Ｂａを収容する主収容部とし、前後隔壁３０Ａａにより区切られて容積が小さい側をサンプル用の吸着材３Ｂｂを収容するサンプル収容部とする。各吸着材３Ｂａ，３Ｂｂは、上述した吸着材３Ｂと同一のものである。本実施形態では、図５および図６において、前後隔壁３０Ａａを境とした正面側が主収容部であり、前後隔壁３０Ａａを境とした背面側がサンプル収容部である。
【００４０】
側方隔壁３０Ａｂは、サンプル収容部であるケーシング３Ａの内部を側方に区切る。本実施形態において、側方隔壁３０Ａｂは、図５に示すように、前後隔壁３０Ａａにより区切られたサンプル収容部を、さらに側方に４つに区切る形態で設けられている。側方隔壁３０Ａｂにより区切る数は図５に示す４つに限定されない。
【００４１】
そして、前後隔壁３０Ａａおよび側方隔壁３０Ａｂにより区切られた複数のサンプル収容部は、１つの容積が、吸着材３Ｂの定期検査の１回分に必要な量のサンプル用の吸着材３Ｂｂを収容する容積に設定される。
【００４２】
なお、隔壁３０Ａは、前後隔壁３０Ａａのみとしてもよい。この場合、前後隔壁３０Ａａのみにより区切られた１つのサンプル収容部は、その容積が、吸着材３Ｂの定期検査の１回分に必要な量のサンプル用の吸着材３Ｂｂを収容する容積に設定される。
【００４３】
本実施形態では、放射性ガス除去フィルタ３０は、複数のケーシング３Ａを上下に間隔をおいて配置したものであり、隔壁３０Ａは、１つの放射性ガス除去フィルタ３０の各ケーシング３Ａにそれぞれ設けられている。なお、隔壁３０Ａは、複数のケーシング３Ａを上下に間隔をおいて配置し放射性ガス除去フィルタ３０において、１つのケーシング３Ａのみに設けられてもよい。
【００４４】
開放口３０Ｂは、サンプル収容部をケーシング３Ａの内外に開放する。開放口３０Ｂは、１つのサンプル収容部に少なくとも１つ設けられている。本実施形態では、隔壁３０Ａ（前後隔壁３０Ａａおよび側方隔壁３０Ａｂ）によりケーシング３Ａの背面側に区切られた複数のサンプル収容部にそれぞれ１つ設けられている。また、開放口３０Ｂは、サンプル収容部が背面側に区切られているため、背面側の側面板３Ａａに形成されている。なお、開放口３０Ｂは、例えば、サンプル収容部が正面側に区切られている場合、正面側の側面板３Ａａに形成される。
【００４５】
蓋部３０Ｃは、開放口３０Ｂを開閉する。蓋部３０Ｃは、放射性ガス除去フィルタ３０をフィルタとして使用するとき、開放口３０Ｂを閉塞し、かつ気密性を維持する。気密性を維持するため、蓋部３０Ｃは、開放口３０Ｂの全周縁との間に介在されるガスケット３０Ｃａを有する。この蓋部３０Ｃは、開放口３０Ｂを閉塞した形態でネジなどの締結手段によりケーシング３Ａに対して取り付けられる。一方、蓋部３０Ｃは、サンプル収容部から吸着材３Ｂｂを取り出したり、空のサンプル収容部に吸着材３Ｂｂを充填したりするとき、開放口３０Ｂを開放する。なお、蓋部３０Ｃは、ケーシング３Ａに対して着脱可能に設けられて開放時にケーシング３Ａから取り外されてもよいが、開放時であっても蝶番やワイヤなどでケーシング３Ａに対して取り付けられる形態であってもよい。
【００４６】
本実施形態の放射性ガス除去フィルタ３０は、放射性ガス除去装置１が複数の別放射性ガス除気フィルタ３を流通路２の内部に配置する構成であり、別放射性ガス除気フィルタ３に換えて放射性ガス除去装置１のラック４に取り付けられる。このため、本実施形態の放射性ガス除去装置１は、放射性ガス除去フィルタ３０および別放射性ガス除去フィルタ３のケーシング３Ａを流通路２内に配置する。
【００４７】
この放射性ガス除去装置１は、流通路２にガスを流通させ、放射性ガス除去フィルタ３０および別放射性ガス除去フィルタ３により流通路２に流通されたよう素および放射性よう化メチルなどを含有する放射性ガスを除去する。そして、放射性ガス除去フィルタ３０および別放射性ガス除去フィルタ３の放射性ガスの除去性能を確認するため、定期的に吸着材３Ｂをケーシング３Ａから取り出す。この場合、放射性ガス除去フィルタ３０において１つの蓋部３０Ｃを開けて開放された開放口３０Ｂを介して１つのサンプル収容部に収容されている吸着材３Ｂｂを全て取り出す。取り出した吸着材３Ｂｂは、収容容器（図示せず）に収容して検査施設に送る。また、吸着材３Ｂｂが取り出されて空になったサンプル収容部には、新しい吸着材３Ｂｂを充填する。
【００４８】
ところで、吸着材３Ｂｂの取り出しや充填は、放射性ガス除去フィルタ３０を放射性ガス除去装置１のラック４から取り外して行う。この場合、新たな吸着材３Ｂｂを充填した放射性ガス除去フィルタ３０をラック４に取り付ける際、ラック４と放射性ガス除去フィルタ３０との間の気密性を確認するためにガスケット部分の漏洩試験を行う。
【００４９】
上述した放射性ガス除去フィルタ３０は、内外にガスを通過させるケーシング３Ａの内部にガスに含まれる放射性物質を吸着する吸着材３Ｂが収容される放射性ガス除去フィルタ３０において、吸着材３Ｂを収容するケーシング３Ａの内部を主の吸着材３Ｂａを収容する主収容部とサンプル用の吸着材３Ｂｂを収容するサンプル収容部とに区切る隔壁３０Ａと、サンプル収容部をケーシング３Ａの内外に開放する開放口３０Ｂと、開放口３０Ｂを開閉する蓋部３０Ｃと、を備える。
【００５０】
この放射性ガス除去フィルタ３０によれば、サンプルとして必要な一部の吸着材３Ｂｂを取り出すことができる。
【００５１】
しかも、この放射性ガス除去フィルタ３０によれば、サンプル収容部から吸着材３Ｂｂを取り出したり、取り出した後に新たな吸着材３Ｂｂをサンプル収容部に充填したりする場合、蓋部３０Ｃを開けて開放口３０Ｂを開放するだけの簡単な形態変化であるため、ケーシング３Ａの損傷は生じにくく、損傷を直す作業を殆どなくすことができる。この結果、取り付け時の漏洩試験のための作業を簡素化することができる。
【００５２】
なお、本実施形態の放射性ガス除去フィルタ３０は、サンプル収容部から吸着材３Ｂｂを取り出したり、取り出した後に新たな吸着材３Ｂｂをサンプル収容部に充填したりする場合、蓋部３０Ｃを開けて開放口３０Ｂを開放するだけの簡単な形態変化であるため、放射性ガス除去フィルタ３０をラック４に取り付けたままで吸着材３Ｂｂの取り出しや充填を行うことも可能である。この場合であっても、本実施形態の放射性ガス除去フィルタ３０は、蓋部３０Ｃを開けるだけの形態変化であるため、ケーシング３Ａの損傷は生じにくく、損傷を直す作業を殆どなくすことができる。この結果、取り付け時の漏洩試験のための作業を簡素化することができる。
【００５３】
また、本実施形態の放射性ガス除去フィルタ３０では、隔壁３０Ａ（３０Ａａ，３０Ａｂ）は、通気性を有することが好ましい。
【００５４】
この放射性ガス除去フィルタ３０によれば、隔壁３０Ａ（３０Ａａ，３０Ａｂ）が通気性を有することで、ケーシング３Ａの内部におけるガスの通過を阻害することがない。この結果、主収容部とサンプル収容部は同じ使用条件下に置かれることとなり、吸着材３Ｂ（３Ｂａ，３Ｂｂ）の吸着性能を低下させることなくサンプル用の吸着材３Ｂｂを出し入れ可能に区切って収容することができる。
【００５５】
また、本実施形態の放射性ガス除去フィルタ３０では、隔壁３０Ａ（３０Ａａ，３０Ａｂ）は、サンプル収容部を複数に区切り、開放口３０Ｂおよび蓋部３０Ｃは、それぞれのサンプル収容部に対応して設けられていることが好ましい。
【００５６】
この放射性ガス除去フィルタ３０によれば、サンプル収容部を複数に区切り、それぞれに対応して開放口３０Ｂおよび蓋部３０Ｃを設けることで、１つの放射性ガス除去フィルタ３０においてサンプル用の吸着材３Ｂｂを複数サンプリングすることができる。この結果、サンプル用の吸着材３Ｂｂを収容した放射性ガス除去フィルタ３０を設置した同設置位置で複数回のサンプリングを実施することができる。
【００５７】
例えば、図５〜図７に示す放射性ガス除去フィルタ３０の場合、全８箇所の各サンプル収容部から所定期間ごとの定期検査にてサンプル用の吸着材３Ｂｂをサンプリングし、これを数回の定期検査で続けて８回目のサンプリングをした時点で、全ての放射性ガス除去フィルタ３，３０の吸着材３Ｂが使用期限となって、全ての放射性ガス除去フィルタ３，３０の吸着材３Ｂを交換するというような運用を行うことができる。
【００５８】
また、本実施形態の放射性ガス除去フィルタ３０では、複数の各蓋部３０Ｃは、それぞれ異なる指標が設けられることが好ましい。
【００５９】
指標は、各蓋部３０Ｃの表面に設ける刻印や、色など、各蓋部３０Ｃを個々に特定するものである。この放射性ガス除去フィルタ３０によれば、複数の各蓋部３０Ｃにそれぞれ異なる指標を設けることで、吸着材３Ｂｂのサンプリングを行ったか否か、サンプリングの年月日、サンプリングの実施予定年などを記すことができる。
【００６０】
また、本実施形態の放射性ガス除去装置１は、ガスが流通する流通路２と、上述したいずれか１つの放射性ガス除去フィルタ３０と、放射性ガス除去フィルタ３０に対して隔壁３０Ａ、開放口３０Ｂおよび蓋部３０Ｃを備えず他が同構成の別放射性ガス除去フィルタ３と、放射性ガス除去フィルタ３０および別放射性ガス除去フィルタ３を流通路２内に配置するラック４と、を備える。
【００６１】
この放射性ガス除去装置１によれば、サンプルとして必要な一部の吸着材３Ｂｂを取り出すことができる。しかも、この放射性ガス除去装置１によれば、サンプル収容部から吸着材３Ｂｂを取り出したり、取り出した後に新たな吸着材３Ｂｂをサンプル収容部に充填したりする場合、蓋部３０Ｃを開けて開放口３０Ｂを開放するだけの簡単な形態変化であるため、ケーシング３Ａの損傷は生じにくく、損傷を直す作業を殆どなくすことができる。この結果、取り付け時の漏洩試験のための作業を簡素化することができる。
【００６２】
また、本実施形態の放射性ガス除去装置１では、ラック４は、放射性ガス除去フィルタ３０を配置した部位に対して指標が設けられることが好ましい。
【００６３】
指標は、ラック４の各挿通穴４Ｃの廻りの表面に設ける刻印や、色など、各挿通穴４Ｃを個々に特定するものである。この放射性ガス除去装置１によれば、指標により、放射性ガス除去フィルタ３０を配置する専用の場所として特定することができる。例えば、全ての放射性ガス除去フィルタ３，３０の吸着材３Ｂが使用期限となって、全ての放射性ガス除去フィルタ３，３０の吸着材３Ｂを交換する場合、元と同じ場所に放射性ガス除去フィルタ３０を配置するというような運用を行うことができる。
【符号の説明】
【００６４】
１  放射性ガス除去装置
２  流通路
３  別放射性ガス除去フィルタ
３Ａ  ケーシング
３Ｂ  吸着材
３Ｂａ  吸着材
３Ｂｂ  吸着材
４  ラック
４Ｃ 挿通穴
３０  放射性ガス除去フィルタ
３０Ａ  隔壁
３０Ｂ  開放口
３０Ｃ  蓋部
【図１】
2017003418.tif 000003
【図２】
2017003418.tif 000004
【図３】
2017003418.tif 000005
【図４】
2017003418.tif 000006
【図５】
2017003418.tif 000007
【図６】
2017003418.tif 000008
【図７】
2017003418.tif 000009